(57)【要約】      （修正有）【課題】糖尿病の一次予防の段階から糖尿病性腎症をわかりやすく視覚的に説明するための糖尿病性腎症の説明模型セットを提供する。【解決手段】説明模型セットは、黒板や壁に取り付け可能な平面的なベース材１と、該ベース材の表面に着脱自在であり、糖尿病性腎症の進行段階に対応した腎臓の外形を疑似した複数個の腎臓模型１１〜１５と、該腎臓模型の内部に収納可能であり、該糖尿病性腎症の進行段階に対応した濾過機能を連想できる複数個の糸球体模型と、を含む。ベース材の表面に、腎臓模型を着脱自在に取り付け、該腎臓模型の内部に各進行段階を一致させた糸球体模型を収納し、該糸球体模型を必要に応じて該腎臓模型の中から取り出して見せることができる。【選択図】図１
0003229766.tif 000002
【実用新案登録請求の範囲】
【請求項１】
黒板や壁に取り付け可能な平面的なベース材と、
該ベース材の表面に着脱自在であり、糖尿病性腎症の進行段階に対応した腎臓の外形を疑似した複数個の腎臓模型と、
該腎臓模型の内部に収納可能であり、該糖尿病性腎症の進行段階に対応した濾過機能を連想できる複数個の糸球体模型と、
を含む、糖尿病性腎症の進行段階を説明するための模型セットであって、
前記ベース材の表面に、前記腎臓模型を着脱自在に取り付け、該腎臓模型の内部に各進行段階を一致させた前記糸球体模型を収納し、該糸球体模型を必要に応じて該腎臓模型の中から取り出して見せることができる説明模型セット。
【請求項２】
請求項１に記載の説明模型セットにおいて、
前記ベース材及び前記腎臓模型を布又はフェルト製として、
該ベース材及び該腎臓模型を折り畳むか又は丸めることによりコンパクトに収納可能にしたことを特徴とする、糖尿病性腎症の進行段階を説明するための説明模型セット。
【考案の詳細な説明】
【技術分野】
【０００１】
本考案は、糖尿病性腎症の説明模型セットに関し、更に詳細には、看護師や糖尿病療養指導士が糖尿病患者に糖尿病性腎症を説明する際に変化の段階（通常は５段階）を視覚的に理解できるようにし、生活習慣の是正の必要性を認識してもらうための模型及び説明模型セットに関する。
【背景技術】
【０００２】
糖尿病は２００４年の厚生労働省の実態調査によると、６人に１人という国民病になっており、３大合併症のひとつである糖尿病性腎症による透析新規導入数は毎年１３９２０人で疾病別では第１位である。透析導入になると週に３日、３〜４時間は病院に拘束され、ＱＯＬ（生活の質）は著しく低下する。
【０００３】
糖尿病に付随する合併症は多いが、その説明については、従来は医療者からの口頭の説明のみではイメージがわかない、などの患者からの声が多く聞かれた。そこで、糖尿病に付随する合併症を視覚的に説明できるように、いくつかの模型が考案されている。
【０００４】
例えば、特許文献１には、「半球状の角膜側模型と半球状眼底側模型に接続可能であり、眼底側模型の内周面である眼底部分に糖尿病網膜症の症状が表示され、眼底側模型の黄班部に穴（８）が開口され、その穴（８）の外側から覗いて角膜模型の角膜を通して外部を透視できることを特徴とする糖尿病網膜症の眼球模型」が開示されている。この眼球模型によれば、糖尿病の合併症である糖尿病網膜症について、患者に病状の進行段階を分かり易く説明することができる。
【０００５】
しかし、その他の糖尿病の合併症である糖尿病性腎症の進行段階を患者に説明する際は、従来は医療者が口頭で説明するのが一般的だったので、患者にとっては具体的なイメージが形成しにくく、症状に対する正しい理解と生活習慣の是正の大切さを十分に伝えることが難しかった。
【０００６】
【特許文献１】特許３６６５７６３号公報
【考案の概要】
【考案が解決しようとする課題】
【０００７】
そこで、本考案に係る糖尿病性腎症の説明模型は、糖尿病の一次予防の段階から糖尿病性腎症をわかりやすく視覚的に説明するための模型を提供する。
【課題を解決するための手段】
【０００８】
本考案に係る説明模型セットは、黒板や壁に取り付け可能な平面的なベース材と、該ベース材の表面に着脱自在であり、糖尿病性腎症の進行段階に対応した腎臓の外形を疑似した複数個の腎臓模型と、該腎臓模型の内部に収納可能であり、該糖尿病性腎症の進行段階に対応した濾過機能を連想できる複数個の糸球体模型と、を含む、糖尿病性腎症の進行段階を説明するための模型セットであって、
前記ベース材の表面に、前記腎臓模型を着脱自在に取り付け、該腎臓模型の内部に各進行段階を一致させた前記糸球体模型を収納し、該糸球体模型を必要に応じて該腎臓模型の中から取り出して見せることができる。
【０００９】
本考案に係る糖尿病性腎症の進行段階を説明するための説明模型セットは、前記ベース材及び前記腎臓模型を布又はフェルト製として、該ベース材及び該腎臓模型を折り畳むか又は丸めることによりコンパクトに収納可能にしたことを特徴とする。
【考案の効果】
【００１０】
本考案に係る糖尿病性腎症の説明模型は、上述のように、腎症のしくみを視覚的に理解できるので、病状を悪化させないような生活習慣の改善につながり、セルフケアの継続支援の一助となる。また、模型の大きさは実際の腎臓の２倍程度の大きさにしたので、視力が低下した患者にも見やすく、さらに手で触ることにより目にすることのない糸球体をイメージしてもらうことができる。
【００１１】
ベース材と腎臓模型の材料には布又はフェルトを用い、第１段階から第３段階までの糸球体模型には毛糸を用いたので、手にした時に暖かみがあり、患者はリラックスした状態で説明を受けることができる。また、収納時には畳むか丸めるかすればコンパクトになり、軽いので持ち運びにも便利である。
【図面の簡単な説明】
【００１２】
【図１】本考案に係る糖尿病性腎症の進行段階を示す説明模型セットの全体図。
【図２】図１の部分拡大図と側面図（Ａ−Ａ）矢視図。
【図３】図２のＢ−Ｂ断面図。
【図４】糸球体模型の説明図。
【考案を実施するための形態】
【００１３】
以下、図面を参照しながら本考案に係る糖尿病性腎症の説明模型の実施形態及び実施例について説明する。なお、以下各図面を通して同一の構成要素には同一の符号を使用するものとする。
【００１４】
本考案に係る説明模型セットは、例えば図１に示すように、黒板や壁に取り付け可能な平面的なベース材１と、ベース材１の表面に着脱自在であり、糖尿病性腎症の進行段階に対応した腎臓の外形を疑似した複数個の腎臓模型１１〜１５と、腎臓模型１１〜１５の内部に収納可能であり、上記糖尿病性腎症の進行段階に対応した濾過機能を連想できる複数個の糸球体模型２１〜２５（図４参照）とを含む、糖尿病性腎症の進行段階を説明するための模型セットである。ベース材１の表面に、腎臓模型１１〜１５を着脱自在に取り付け、腎臓模型１１〜１５の内部に各進行段階を一致させた糸球体模型２１〜２５を収納し、糸球体模型２１〜２５を必要に応じて腎臓模型１１〜１５の中から取り出して見せることができる。
【００１５】
この糖尿病性腎症の進行段階を説明するための説明模型セットは、ベース材１及び腎臓模型１１〜１５を布又はフェルト製として、ベース材１及び腎臓模型１１〜１５を折り畳むか又は丸めることによりコンパクトに収納可能にしたことを特徴とする。
【実施例１】
【００１６】
［腎臓模型］
本実施例では、糖尿病腎症の進行状態を、第１段階の腎症前期、第２段階の早期腎症、第３段階の顕性腎症前期及び後期、第４段階の腎不全期、第５段階の透析期に分け、これら５つの段階に対応した計５つの腎臓模型１１〜１５を、黒板又は壁に取り付け可能なベース材１の上に着脱自在に取り付ける（図１参照）。
【００１７】
５つの腎臓模型１１〜１５は、図３のように、それぞれ２枚の布又はフェルトを縫い合わせて袋状とし（図２参照）、開口部を面ファスナーで開閉自在にし、これら腎臓模型１１〜１５の中に、次の実施例２で下記する糸球体を疑似した模型２１〜２５（図４参照）を収納する。
【実施例２】
【００１８】
［糸球体模型］
本実施例では、図４を用いて、上記５つの腎臓模型１１〜１５の中に、糖尿病腎症の進行状態の５つの段階に対応して収納する糸球体模型２１〜２５について説明する。
【００１９】
第１段階から第３段階までを表す糸球体模型２１〜２３は、扁平球形の小さなナイロン生地製クッション２１ｂの外面を、赤色の毛糸の網目２１ａ〜２３ａで覆ったものとし、該網目は第１段階から第３段階に移行するにつれ、網の目が粗くなるようにした。これは、糸球体の機能として老廃物を尿として体外へ出すが、腎機能が悪化するに従って体内に必要なタンパクが尿の中に出るようになることを説明するための模型である。
【００２０】
第４段階になると糸球体は組織学上「荒廃糸球体」となるため、模型１〜３のような肌色ではなく、銀色の糸球体模型２４を表現する必要がある。また、第４段階を表す模型２４の表面には、糸球体模型２１〜２３のような血管の表現は不要であり、荒廃糸球体に似せるために、その表面に細かい凹凸を形成するのが好ましい。
【００２１】
第５段階では透析療法となり、糸球体は老廃物除去の役割を果たせなくなり、透析装置のダイアライザーを利用し体内の老廃物を除去することとなるため、糸球体模型の代わりにダイアライザーの模型を、第５段階を象徴する模型２５として代用した。
【００２２】
上述した腎臓模型１１〜１５と糸球体模型２１〜２５を用いた本考案に係る説明模型セットについて、以下の実施例３において、さらに詳細に説明する。
【実施例３】
【００２３】
図１は、上記のように、本考案による糖尿病性腎症の進行段階を説明するための説明模型セットの全体図である。布で作成したベース材１の対角線上に、５個のソラマメの形の腎臓模型（１１〜１５）を取り付けるための面ファスナーが装着されている。また、ベース材の上端には、ベース材を黒板や壁に取り付けるための輪２が縫い付けてある。
【００２４】
腎臓模型の表面には、目と口を貼り付けて表情を付け、腎症の進行段階を表現した。図示しないが、腎臓模型の裏面には進行段階に対応する数字１〜５が貼り付けてあり、１個の模型だけを見ても進行段階が分かるようにしてある。
【００２５】
図２は第１段階の腎臓模型１１の拡大図と、同側面図（Ａ−Ａ矢視図）である。５個の腎臓模型は全て、縦が約２０ｃｍで実際の腎臓の約２倍の大きさとした。２枚のフェルトをソラマメの形に切り、開口部３を約１０ｃｍ 残して外周を縫い付けて袋状とし、前記開口部３を閉じることができるように面ファスナー４を縫い付けてある。
【００２６】
腎臓模型１１の裏面には面ファスナー５ａが縫い付けてあり、ベース材１の所定の位置に縫い付けてある面ファスナー５ｂと合体することにより、腎臓模型１１をベース材１に着脱自在に取り付けることができる。
【００２７】
図２は、袋状に構成した腎臓模型１１の内部に糸球体模型２１を収納した状態を示している。図２のＢ−Ｂ断面を図３に示す。糸球体２１の核部は、２枚の円形の肌色のナイロン生地２１ｂの外周を縫い合わせて袋状とし、この中に手芸綿２１ｃを詰め込んで、全体を扁平な球状にした。上記糸球体の核部の外表面に、赤色の毛糸を編んだ網目状のカバー２１ａをかぶせて毛細血管を表現した。
【００２８】
第１段階から第３段階に対応する糸球体模型２１〜２３の構造は、基本的に同じであるが、図４に示したように、毛糸製カバー（２１ａ、２２ａ、２３ａ）の網目の密度を順次粗くすることにより、腎臓の濾過機能の悪化状態を表現した。
【００２９】
第４段階の荒廃糸球体の模型２４は、上述のように、この段階の糸球体では上記糸球体の核部の外表面に毛細血管が消失するため、模型２１〜２３で用いた赤色の毛糸を編んだ網目状のカバー２１ａは使用しない。また、糸球体模型２１〜２３で用いた肌色のナイロン生地の代わりに、銀色のラメニットを代用して第４段階の荒廃糸球体模型２４を表した。そして、その外形を更に第４段階の荒廃糸球体に模すため、中に手芸綿２１ｃを詰め込んだ袋状の糸球体模型２４の表面に、細かい凹凸を形成した。
【００３０】
第５段階の糸球体模型２５は、上記のように、人工透析装置のダイアライザーの原理を説明する模型２５である。中に手芸綿２１ｃ（図３参照）を詰め込んだ袋状のナイロン生地を、血液をイメージした赤い網目生地２５ａで覆って、ダイアライザーの中空糸状の半透膜の内部を血液が流れている様子を表現した。
【００３１】
以上のように、本考案に係る糖尿病性腎症の説明模型を用いれば、視覚に訴えると共に手で触ることにより目にすることのない糸球体をイメージしてもらうことができ、腎症のしくみを視覚的に理解できるので、病状を悪化させないような生活習慣の改善につながり、セルフケアの継続支援の一助とすることができる。また、収納時には畳むか丸めるかすればコンパクトになり、軽いので持ち運びにも便利である。
【００３２】
以上、本考案に係る糖尿病性腎症の説明模型について説明したが、本考案は上記実施形態や実施例に限定されるものではない。本考案に係る糖尿病性腎症の説明模型を構成する材料、材質、種類等は特に限定されず、その寸法、厚さも適宜変更可能である。
【００３３】
その他、本考案は、その主旨を逸脱しない範囲で当業者の知識に基づき種々の改良、修正、変更を加えた態様で実施できるものである。
【産業上の利用可能性】
【００３４】
本考案に係る糖尿病性腎症の説明模型は、糖尿病性腎症の進行段階を患者に説明する教材として、医療行為やセルフケアの継続支援などに利用することができる。
【符号の説明】
【００３５】
１：ベース材
２：黒板などに取り付けるための輪
３：腎臓模型の開口部
４：腎臓模型の開口部を閉じるための面ファスナー
５ａ：腎臓模型をベース材に取り付けるための面ファスナー（腎臓模型側）
５ｂ：腎臓模型をベース材に取り付けるための面ファスナー（ベース材側）
１１：第１段階に対応する腎臓模型
１２：第２段階に対応する腎臓模型
１３：第３段階に対応する腎臓模型
１４：第４段階に対応する腎臓模型
１５：第５段階に対応する腎臓模型
２１：第１段階に対応する糸球体模型
２１ａ：赤色の毛糸を編んだ網目状のカバー
２１ｂ：肌色のナイロン生地
２１ｃ：手芸綿
２２：第２ 段階に対応する糸球体模型
２２ａ：赤色の毛糸を編んだ網目状のカバー
２３：第３ 段階に対応する糸球体模型
２３ａ：赤色の毛糸を編んだ網目状のカバー
２４：第４ 段階に対応する糸球体模型
２５：第５ 段階に対応する糸球体模型（ダイアライザー）
２５ａ：網目生地
【図１】
0003229766.tif 000003
【図２】
0003229766.tif 000004
【図３】
0003229766.tif 000005
【図４】
0003229766.tif 000006
【手続補正書】
【提出日】令和2年10月5日(2020.10.5)
【手続補正１】
【補正対象書類名】実用新案登録請求の範囲
【補正対象項目名】全文
【補正方法】変更
【補正の内容】
【実用新案登録請求の範囲】
【請求項１】
黒板や壁に取り付け可能な平面的なベース材と、
該ベース材の表面に着脱自在であり、糖尿病性腎症の進行段階に対応した腎臓の外形を疑似した複数個の腎臓模型と、
該腎臓模型の内部に収納可能であり、該糖尿病性腎症の進行段階に対応した濾過機能を連想できる複数個の糸球体模型と、
を含む、糖尿病性腎症の進行段階を説明するための模型セットであって、
前記腎臓模型の内部に、該腎臓模型が対応する糖尿病性腎症の進行段階と一致させた進行段階に対応する前記糸球体模型を収納することを特徴とする説明模型セット。
【請求項２】
請求項１に記載の説明模型セットにおいて、
前記ベース材及び前記腎臓模型を布又はフェルト製として、
該ベース材及び該腎臓模型を折り畳むか又は丸めることによりコンパクトに収納可能にしたことを特徴とする、糖尿病性腎症の進行段階を説明するための説明模型セット。